(57)【要約】【課題】小型化が可能な照明装置の提供。【解決手段】本発明の照明装置１２は、光源１７と、底板１４ａ、及びこの底板１４ａの周縁から立ち上がる壁板１４ｂ１とを有するシャーシ１４と、中央側に配され光源１７が実装される光源実装領域Ｓ１と、光源実装領域Ｓ１の外側に配される外側領域Ｓ２，Ｓ３とを含む実装面１８ａを有し、壁板１４ｂ１の内側に配される形で底板１４ａ上に配される実装基板１８と、光源１７を露出させる孔部２０ｅを含みつつ光源実装領域Ｓ１を覆う形で実装面１８ａ上に配され光源１７からの光を反射する反射底部２０ａと、壁板１４ｂ１及び外側領域Ｓ２，Ｓ３と共に空間Ｍａ，Ｍｂを形成するように反射底部２０ａから壁板１４ｂ１に向かって立ち上がり光を反射する反射壁部２０ｂとを有する反射部材２０と、外側領域Ｓ２，Ｓ３に実装されると共に空間Ｍａ，Ｍｂ内に配される回路部品２１とを備える。  【選択図】図３
2013157173.tif 000002
【特許請求の範囲】
【請求項１】
光源と、
底板と、この底板の周縁から立ち上がる壁板とを有するシャーシと、
中央側に配され前記光源が実装される光源実装領域と、前記光源実装領域の外側に配される外側領域とを含む実装面を有し、前記壁板の内側に配される形で前記底板上に配される実装基板と、
前記光源を露出させる孔部を含みつつ前記光源実装領域を覆う形で前記実装面上に配され前記光源からの光を反射する反射底部と、前記壁板及び前記外側領域と共に空間を形成するように前記反射底部から前記壁板に向かって立ち上がり前記光を反射する反射壁部とを有する反射部材と、
前記外側領域に実装されると共に、前記空間内に配される回路部品と、を備える照明装置。
【請求項２】
前記実装基板が、一枚の基板からなる請求項１に記載の照明装置。
【請求項３】
前記回路部品が、前記光源に対して電気的に接続されている請求項１又は請求項２に記載の照明装置。
【請求項４】
前記実装基板は、前記回路部品と前記光源との間を電気的に接続する配線パターンを有する請求項３に記載の照明装置。
【請求項５】
前記回路部品は、前記光源に対して電力を供給する請求項３又は請求項４に記載の照明装置。
【請求項６】
前記実装基板は、矩形状をなし、
前記光源実装領域は、前記実装基板の一辺方向に沿って前記実装面の中央部分に配され、
前記外側領域は、前記光源実装領域を挟むように前記一辺方向に沿って配される２つの部分を含み、
前記回路部品は、前記外側領域の２つの部分にそれぞれ実装される請求項１から請求項５のいずれか一項に記載の照明装置。
【請求項７】
前記光源と対向する形で前記実装面上に設けられると共に、前記光源からの光を透過させる光学レンズを備え、
前記孔部は、前記光源と共に前記光学レンズを露出させる請求項１から請求項６のいずれか一項に記載の照明装置。
【請求項８】
前記反射壁部は、前記反射底部から前記壁板に向かって傾斜しつつ立ち上がる請求項１から請求項７のいずれか一項に記載の照明装置。
【請求項９】
前記光源は、複数個のＬＥＤ光源からなる請求項１から請求項８のいずれか一項に記載の照明装置。
【請求項１０】
請求項１ないし請求項９のいずれか一項に記載の照明装置と、前記照明装置からの光を利用して表示を行う表示パネルとを備える表示装置。
【請求項１１】
前記回路部品は、前記表示パネルに対して画像信号を送信する請求項１０に記載の表示装置。
【請求項１２】
前記表示パネルは、一対の基板間に液晶を封入してなる液晶パネルからなる請求項１０又は請求項１１に記載の表示装置。
【請求項１３】
請求項１０から請求項１２のいずれか一項に記載された表示装置を備えるテレビ受信装置。
【発明の詳細な説明】
【技術分野】
【０００１】
本発明は、照明装置、及び表示装置に関する。
【背景技術】
【０００２】
テレビ、携帯電話、携帯情報端末等の表示装置において、液晶パネルが利用されている。液晶パネルは、画像を表示させるために、外部の光を利用する必要がある。そのため、この種の表示装置は、特許文献１に示されるように、液晶パネルの他に、液晶パネルに光を供給するための照明装置（所謂、バックライト装置）を備えている。この照明装置は、液晶パネルの背面側に配されており、面状に広がった光を液晶パネルの背面に向けて照射するように構成されている。
【０００３】
前記照明装置としては、特許文献１に示されるように、光源が液晶パネルの背面側（真下）に配されているもの（所謂、直下型方式）が知られている。この種の照明装置は、主として、前記光源と、この光源を収容すると共に液晶パネルの背面側に向かって開口した箱状のシャーシと、前記開口を覆うように配され前記光源からの光を透過しつつ調節する光学部材と、前記シャーシの内側を覆うように配される反射シートとを備えている。なお、前記光源としては、特許文献１に示されるように、近年、ＬＥＤ（Ｌｉｇｈｔ  Ｅｍｉｔｔｉｎｇ  Ｄｉｏｄｅ）が利用されている。ＬＥＤは、所定のＬＥＤ基板上に実装された状態で、シャーシ内に収容されている。
【０００４】
また、特許文献１に示されるように、液晶パネルの表示駆動やＬＥＤの点灯動作を制御する各種の回路部品を実装した回路基板が、シャーシの外側に取り付けられている。
【先行技術文献】
【特許文献】
【０００５】
【特許文献１】特開２００５−３５３４９８号公報
【発明の概要】
【発明が解決しようとする課題】
【０００６】
上述した回路基板が、シャーシの外側に取り付けられていると、照明装置及び表示装置が大型化してしまい、問題となっている。
【０００７】
本発明の目的は、小型化が可能な照明装置、及び前記照明装置を備えた表示装置を提供することである。
【課題を解決するための手段】
【０００８】
本発明に係る照明装置は、光源と、底板と、この底板の周縁から立ち上がる壁板とを有するシャーシと、中央側に配され前記光源が実装される光源実装領域と、前記光源実装領域の外側に配される外側領域とを含む実装面を有し、前記壁板の内側に配される形で前記底板上に配される実装基板と、前記光源を露出させる孔部を含みつつ前記光源実装領域を覆う形で前記実装面上に配され前記光源からの光を反射する反射底部と、前記壁板及び前記外側領域と共に空間を形成するように前記反射底部から前記壁板に向かって立ち上がり前記光を反射する反射壁部とを有する反射部材と、前記外側領域に実装されると共に、前記空間内に配される回路部品と、を備える。前記照明装置は、前記シャーシの前記壁板の内側に配される形で前記シャーシの前記底板上に配される前記実装基板を備えている。前記実装基板の前記実装面は、前記光源が実装される中央側の前記光源実装領域と、前記光源実装領域の外側に配される前記外側領域とを含んでいる。このような前記実装面上には、前記光源からの光を反射する前記反射部材の一部が配されている。この一部とは、前記光源を露出させる前記孔部を含みつつ前記光源実装領域を覆う前記反射底部である。また、前記反射部材は、他の部分として、前記反射壁部を有する。前記反射壁部は、前記壁板及び前記外側領域と共に前記空間を形成するように前記反射底部から前記壁板に向かって立ち上がっている。前記照明装置では、前記回路部品は、前記光源が実装されている前記実装基板が有する前記外側領域に実装されると共に、前記空間内に配されている。したがって、前記照明装置は、前記回路部品を前記シャーシ内の前記空間内に配することができるため、小型化が可能な構造（特に厚み方向の小型化が可能な構造）となっている。更に、前記照明装置は、前記光源が実装されている前記実装基板を前記底板上に配すれば、前記回路部品を前記シャーシ内の所定個所に形成される前記空間内に容易に配置することができる。
【０００９】
前記照明装置において、前記実装基板が、一枚の基板からなるものが好ましい。前記照明装置において、前記実装基板が、一枚の基板から構成されていると、例えば、前記実装基板が複数の基板片を互いに組み合せたものからなる場合と比べて、製造工程や部品点数の削減等を図ることができる。
【００１０】
前記照明装置において、前記回路部品が、前記光源に対して電気的に接続されていてもよい。
【００１１】
前記照明装置において、前記実装基板は、前記回路部品と前記光源との間を電気的に接続する配線パターンを有してもよい。
【００１２】
前記照明装置において、前記回路部品は、前記光源に対して電力を供給するものであってもよい。
【００１３】
前記照明装置において、前記実装基板は、矩形状をなし、前記光源実装領域は、前記実装基板の一辺方向に沿って前記実装面の中央部分に配され、前記外側領域は、前記光源実装領域を挟むように前記一辺方向に沿って配される２つの部分を含み、前記回路部品は、前記外側領域の２つの部分にそれぞれ実装されるものであってもよい。
【００１４】
前記照明装置において、前記光源と対向する形で前記実装面上に設けられると共に、前記光源からの光を透過させる光学レンズを備え、前記孔部は、前記光源と共に前記光学レンズを露出させるものであってもよい。
【００１５】
前記照明装置において、前記反射壁部は、前記反射底部から前記壁板に向かって傾斜しつつ立ち上がるものであってもよい。
【００１６】
前記照明装置において、前記光源は、複数個のＬＥＤ光源からなるものであってもよい。
【００１７】
本発明に係る表示装置は、前記照明装置と、前記照明装置からの光を利用して表示を行う表示パネルとを備える。
【００１８】
前記表示装置において、前記回路部品は、前記表示パネルに対して画像信号を送信するものであってもよい。
【００１９】
前記表示装置において、前記表示パネルは、一対の基板間に液晶を封入してなる液晶パネルからなるものであってもよい。
【００２０】
本発明に係るテレビ受信装置は、前記表示装置を備える。
【発明の効果】
【００２１】
本発明によれば、小型化が可能な照明装置、及び前記照明装置を備えた表示装置を提供することができる。
【図面の簡単な説明】
【００２２】
【図１】本発明の実施形態１に係るテレビ受信装置の概略構成を示す分解斜視図
【図２】液晶表示装置の概略構成を示す分解斜視図
【図３】図２のＡ−Ａ’線断面図
【図４】光学部材及びフレームが取り除かれた状態のバックライト装置の平面図
【図５】実装基板の平面図
【図６】図３におけるＬＥＤ及び拡散レンズ付近の拡大断面図
【図７】実施形態２に係る液晶表示装置の概略構成を示す断面図
【図８】実施形態３に係る液晶表示装置の概略構成を示す断面図
【発明を実施するための形態】
【００２３】
＜実施形態１＞
本発明の実施形態１を、図１から図６を参照しつつ説明する。本実施形態では、テレビ受信装置ＴＶに利用される液晶表示装置１０について例示する。なお、各図面には、Ｘ軸、Ｙ軸及びＺ軸が示されており、各軸方向が各図面において共通の方向となるように描かれている。また、図２及び図３の上側を表側とし、同図下側を裏側とする。
【００２４】
図１は、本発明の実施形態１に係るテレビ受信装置の概略構成を示す分解斜視図である。本実施形態に係るテレビ受信装置ＴＶは、図１に示されるように、液晶表示装置１０と、この液晶表示装置１０を挟むようにして収容する表裏両キャビネットＣａ，Ｃｂと、電源（不図示）と、チューナー（不図示）と、スタンドＳとを備えている。液晶表示装置（表示装置）１０は、全体として横長の矩形状をなしており、その表示面が起立した状態で、前記キャビネットＣａ，Ｃｂに収容されている。図２は、液晶表示装置１０の概略構成を示す分解斜視図であり、図３は、図２のＡ−Ａ’線断面図である。液晶表示装置１０は、図２に示されるように、液晶パネル（表示パネル）１１と、外部光源であるバックライト装置（照明装置）１２と、ベゼル１３とを備えている。なお、ベゼル１３は、金属製の枠状部材からなり、液晶パネル１１の周縁部に被せられた状態で、液晶表示装置１０に組み付けられる。
【００２５】
液晶パネル１１は、平面視矩形状をなしており、一対のガラス基板が所定のギャップを隔てた状態で貼り合わされると共に、それらのガラス基板間に液晶が封入された構成を備えている。これらの基板のうち、背面側（裏側）に配される一方のガラス基板は、所謂、薄膜トランジスタ（以下、ＴＦＴ）アレイ基板であり、表示面側（表側）に配される他方のガラス基板は、所謂、カラーフィルタ（以下、ＣＦ）基板である。
【００２６】
液晶パネル１１は、図２に示されるように、表側から平面視した際に、全体として横長の矩形状をなしている。この液晶パネル１１は、主として、互いに向かい合う一対の透明なガラス基板と、これらの基板間に封入される液晶層とを備える。これらの基板のうち、背面１１ｂ側（裏側）に配される一方のガラス基板は、所謂、薄膜トランジスタ（以下、ＴＦＴ）アレイ基板であり、表示面１１ａ側（表側）に配される他方のガラス基板は、所謂、カラーフィルタ（以下、ＣＦ）基板である。
【００２７】
ＴＦＴアレイ基板は、主として、透明なガラス製の板上に、スイッチング素子としての複数個のＴＦＴと、各ＴＦＴのドレイン電極に接続する透明な複数個の画素電極とがマトリクス状（行列状）に設けられたものからなる。個々のＴＦＴ及び画素電極は、画素毎に設けられており、互いに交差するように前記ガラス製の板上に設けられている複数本のゲート配線と、複数本のソース配線とによって区画されている。なお、各ＴＦＴにおけるゲート電極は前記ゲート配線と接続し、それらのソース電極は前記ソース配線と接続している。
【００２８】
ＣＦ基板は、主として、透明なガラス製の板上に、赤色（Ｒ）、緑色（Ｇ）、青色（Ｂ）等の各色からなるＣＦが、前記ＴＦＴアレイ基板の各画素に対応するように、マトリクス状に設けられたものからなる。各ＣＦは、前記ガラス製の板上に格子状に設けられている遮光性のブラックマトリクス（ＢＭ）によって区画されている。なお、前記ＣＦ及び前記ＢＭ上には、前記ＴＦＴアレイ基板の画素電極と向かい合う透明な対向電極等が設けられている。
【００２９】
液晶パネル１１は、上述したソース配線、ゲート配線及び対向電極等に、所定の制御回路（後述する信号ユニット２１ｂ）から画像を表示するために必要な画像データや各種制御信号が供給されるように構成されており、所謂、アクティブマトリクス方式で駆動する。なお、前記液晶パネル１１には、その表示面側と背面側に、前記一対のガラス基板を挟むようにそれぞれ偏光板が設けられている。
【００３０】
バックライト装置１２は、図２に示されるように、主として、シャーシ１４と、光学部材１５と、フレーム１６と、ＬＥＤ（光源）１７と、基板（実装基板）１８と、拡散レンズ（光学レンズ）１９と、反射部材２０とを備えている。なお、図４は、光学部材１５及びフレーム１６が取り除かれた状態のバックライト装置１２の平面図である。
【００３１】
シャーシ１４は、全体的には、液晶パネル１１側（表側）が開口した浅底の箱状をなしており、金属製（例えば、アルミニウム）の板状部材が所定形状に加工されたものからなる。シャーシ１４は、平面視矩形状をなした底板１４ａと、この底板１４ａの各辺の端部から立ち上がる壁板１４ｂと、各壁板１４ｂの上端から外側に向かって張り出した受け板１４ｃとを備えている。底板１４ａ上には、後述するように、ＬＥＤ１７が実装されている実装基板１８が配されている。壁板１４ｂは、下側（裏側）から上側（表側）に向かうに従って、徐々に外側に広がるように傾斜している。そして、壁板１４ｂの上端部分で囲まれた部分が、シャーシ１４の開口部１４ｄとなっている。そのため、本実施形態の場合、開口部１４ｄの面積は、底板１４ａの面積よりも大きくなっている。受け板１４ｃは、全体的には、開口部１４ｄの周りを取り囲む枠状をなしており、光学部材１５、反射部材２０等の周縁部が載せられる個所となっている。また、受け板１４ｃは、液晶パネル１１を支持するためのフレーム１６が載せられる個所となっている。各図において、シャーシ１４の長辺方向はＸ軸方向と一致し、その短辺方向はＹ軸方向と一致している。
【００３２】
光学部材１５は、図２に示されるように、液晶パネル１１等と同様に、平面視矩形状をなしている。光学部材１５は、図３に示されるように、その周縁部が受け板１４ｃ上に載せられた状態で、シャーシ１４の開口部１４ｄを覆っている。つまり、光学部材１５は、液晶パネル１１とＬＥＤ１７との間に配されている。光学部材１５は、裏側（ＬＥＤ１７側）に配される拡散板１５ａと、表側（液晶パネル１１側）に配される光学シート１５ｂとから構成されている。拡散板１５ａは、所定の厚みを有する略透明な樹脂製の基材内に、多数の拡散粒子が分散配合されたものからなり、透過する光を拡散させる機能を有する。光学シート１５ｂは、拡散板１５ａと比べて厚みが小さいシート状をなしている。本実施形態の場合、２枚の光学シート１５ｂが積層された状態で利用されている。光学シート１５ｂとしては、例えば、拡散シート、レンズシート、反射型偏光シート等が挙げられ、これらの中から適宜、選択されたものが用いられる。本実施形態の場合、拡散板１５ａと、光学シート１５ｂとは、互いに同じ大きさに設定されている。
【００３３】
フレーム１６は、図２に示されるように、液晶パネル１１及び光学部材１５の外周縁部に沿うような枠状をなしており、樹脂成型品からなる。図３に示されるように、このフレーム１６と受け板１４ｃとの間で、光学部材１５の周縁部が挟持されている。また、フレーム１６の表側の内縁部には、液晶パネル１１の周縁部が載せられている。そして、フレーム１６は、液晶パネル１１の表側に被せられているベゼル１３と共に、液晶パネル１１の周縁部を挟持している。
【００３４】
ＬＥＤ（Ｌｉｇｈｔ  Ｅｍｉｔｔｉｎｇ  Ｄｉｏｄｅ）１７は、実装基板１８に固着される基板部上にＬＥＤチップを樹脂材により封止した構成（所謂、ＬＥＤパッケージ）からなる。基板部に実装されるＬＥＤチップは、主発光波長が１種類のものからなり、具体的には、青色を単色発光するものからなる。また、ＬＥＤチップを封止する樹脂材には、ＬＥＤチップから発せられた青色の光を、白色の光に変換する蛍光体が分散配合されている。つまり、ＬＥＤ１７としては、白色発光するものが利用される。ＬＥＤ１７は、実装基板１８に対する実装面とは反対側の部分（発光部）１７ａが発光する、所謂トップ型である。ＬＥＤ１７の光軸ＬＡは、液晶パネル１１の法線方向（Ｚ軸方向）と一致するように設定されている。なお、ＬＥＤ１７から発せられる光は、指向性がある程度、強く（高く）なっている。
【００３５】
図５は、実装基板１８の平面図である。実装基板１８は、図５に示されるように、全体的には、平面視矩形状をなしている。実装基板１８は、シャーシ１４の壁板１４ｂの内側に配される形で、底板１４ａの表側の板面上に固定されている。実装基板１８は、その長辺側がシャーシ１４の長辺側（壁板１４ｂ１側）に配され、その短辺側がシャーシ１４の短辺側（壁板１４ｂ２側）に配される形で、シャーシ１４内に収容されている。図５等に示されるように、実装基板１８の表側の板面は、ＬＥＤ１７等が実装される実装面１８ａとなっている。この実装面１８ａには、ＬＥＤ１７以外に、ＬＥＤ１７に電力を供給する電源ユニット２１ａと、液晶パネル１１に対して映像信号（画像データ）を送信する信号ユニット２１ｂとがそれぞれ実装されている。なお、実装面１８ａは、ＬＥＤ（光源）１７が実装される領域（光源実装領域）Ｓ１と、この領域よりも外側にある他の領域（外側領域）Ｓ２，Ｓ３とからなる。なお、本実施形態の場合、領域Ｓ２には電源ユニット２１ａが実装され、領域Ｓ３には信号ユニット２１ｂが実装されている。また、各ユニット２１（２１ａ，２１ｂ）は、それぞれ各種の電子部品（回路部品）から構成されている。
【００３６】
実装面１８ａは、図５に示されるように、全体としては、矩形状をなしている。領域Ｓ１は、この実装面１８ａの中央側に割り当てられている。具体的には、領域Ｓ１は、実装面１８ａの短辺の中央に配されると共に、実装面１８ａをその長辺方向に沿って横切るように配されている。本実施形態の場合、領域Ｓ１は、実装面１８ａ（実装基板１８）の長辺方向に沿って細長く延びた矩形状をなしている。そして、実装面１８ａの短辺方向において、この領域Ｓ１を挟む形で、領域Ｓ２と領域Ｓ３とがそれぞれ実装面１８ａ上に割り当てられている。図５において、領域Ｓ１と領域Ｓ２とは、実装面１８ａ上に仮想的に引かれている境界線Ｌ１によって隔てられており、また、領域Ｓ１と領域Ｓ２とは、実装面１８ａ上に仮想的に引かれている境界線Ｌ２によって隔てられている。
【００３７】
領域Ｓ１は、実装面１８ａのうち、ＬＥＤ（光源）１７を実装するための範囲として確保される部分である。この領域Ｓ１には、ＬＥＤ１７そのものが配される部分（範囲）のみならず、その部分の周囲も部分的に含まれる。ＬＥＤ１７の周りの実装面１８ａには、ＬＥＤ１７に対して電気的に接続する配線パターン（例えば、銅箔等の金属膜からなる配線パターン）１８２等が形成されており、このような配線パターンが形成されている部分（範囲）等も、領域Ｓ１に含まれている。要するに、領域Ｓ１は、従来、この種の照明装置で利用されるＬＥＤ基板のＬＥＤ実装面に相当するものである。
【００３８】
領域Ｓ１は、液晶表示装置１０において、実装基板１８の表側（例えば、図３の上側）に配されている液晶パネル１１の表側１１ａから平面視した際に、液晶パネル１１の中央部分と重なるように設定されている。つまり、光源実装領域（領域Ｓ１）は、液晶パネル（表示パネル）の中央側に配されていると言える。また、領域Ｓ１は、シャーシ１４の底板１４ａの中央部分とも重なるように設定されている。つまり、光源実装領域（領域Ｓ１）は、シャーシの中央側）に配されているとも言える。領域Ｓ２及び領域Ｓ３は、液晶表示装置１０において、領域Ｓ１よりも外側に配されている。また、本実施形態の場合、領域Ｓ２，Ｓ３は、実装面１８ａの外側に配されている。
【００３９】
図６は、図３におけるＬＥＤ及び拡散レンズ付近の拡大断面図である。実装基板１８は、平面視矩形状をなした板状の基材１８０を含んでいる。この基材１８０は、シャーシ１４と同じアルミニウム等の金属材料からなる。なお、基材１８０の表面上には、絶縁層（不図示）が形成されている。つまり、基材１８０の表側（液晶パネル１１側）の板面は、前記絶縁層によって覆われている。そして、この基材１８０上に形成されている絶縁層上には、銅箔等の金属膜からなる配線パターン１８２が形成されている。この配線パターン１８２は、ＬＥＤ１７に対して電気的に接続されている。更に、配線パターン１８２を覆って保護するために、前記絶縁層上には、白色のソルダーレジスト層１８１が積層されている。なお、ＬＥＤ１７は、前記絶縁層が形成されている基材１８０の板面上に、表面実装されている。
【００４０】
実装面１８ａの領域Ｓ１には、複数個のＬＥＤ１７が、実装基板１８の長辺方向に沿って並んだ状態で実装されている。領域Ｓ１には、前記長辺方向に沿った２つ（２本）のＬＥＤ列が形成されている。各ＬＥＤ列は、複数個のＬＥＤ１７が互いに間隔を保った状態で前記長辺方向に沿ってそれぞれ一列に並んだものからなる。この２つのＬＥＤ列を構成するＬＥＤ同士は、配線パターン１８２によって互いに直列接続されている。なお、配線パターン１８２が有する２つの端部（アノード側の端部、カソード側の端部）は、それぞれ電源ユニット２１ａに対して電気的に接続されている。そして、電源ユニット２１ａから、各ＬＥＤ１７に対して、前記配線パターン１８２を介して電力が供給される。つまり、電源ユニット２１ａによって、各ＬＥＤ１７の点灯・消灯が一括して制御されている。
【００４１】
電源ユニット２１ａは、上述したように実装面１８ａの領域Ｓ２に、実装されている。そして、この電源ユニット２１ａは、外部電源から電力が供給されるように構成されている。なお、実装面１８ａの領域Ｓ３に実装されている信号ユニット２１ｂは、液晶パネル１１に対して、所定の配線を介して電気的に接続されている。ただし、信号ユニット２１ｂは、実装基板１８上に実装されているＬＥＤ１７や電源ユニット２１ａに対しては、電気的に接続されていない構成となっている。
【００４２】
拡散レンズ（光学レンズ）１９は、略透明であって高い透光性を有しつつ屈折率が空気よりも高い合成樹脂材料（例えば、ポリカーボネート樹脂、アクリル樹脂）からなる。拡散レンズ１９は、図４等に示されるように、平面に視て略円形状をなしており、実装基板１８上の各ＬＥＤ１７を個別に覆うように（つまり、ＬＥＤ１７と重畳するように）、実装基板１８に取り付けられている。この拡散レンズ１９は、ＬＥＤ１７から発せられた指向性の強い（高い）光を、拡散させつつ出射させることがきる。拡散レンズ１９は、平面に視てＬＥＤ１７と略同心となる位置に配されている。拡散レンズ１９の大きさは、ＬＥＤ１７よりも十分大きく設定されている。
【００４３】
拡散レンズ１９が実装基板１８と対向する面が、ＬＥＤ１７からの光が入射される光入射面１９ａとなっている。また、拡散レンズ１９が光学部材１５と対向する面が、光を出射する光出射面１９ｂとなっている。光入射面１９ａは、図６に示されるように、全体としては、実装基板１８の板面（実装面１８ａ）に沿って平行に配された形をなしているものの、平面に視てＬＥＤ１７と重畳する領域は、光入射側凹部１９ｃが形成されているため、傾斜面となっている。光入射側凹部１９ｃは、略円錐状をなすと共に拡散レンズ１９における略同心位置に配されており、裏側（つまり、ＬＥＤ１７側）に向かって開口した形となっている。また、光入射側凹部１９ｃは、その断面が略逆Ｖ字型をなしており、その周面が光軸ＬＡ（Ｚ軸方向）に対して傾いた傾斜面となっている。したがって、ＬＥＤ１７から発せられて光入射側凹部１９ｃ内に入った光は、傾斜面を介して拡散レンズ１９内に入射される。その際、光は、光軸ＬＡに対する傾斜面の傾斜角度の分だけ、中心から遠ざかる方向に（つまり、広角に）屈折されて拡散レンズ１９に入射される。
【００４４】
拡散レンズ１９には、実装基板１８側に向けて突出すると共に、実装基板１８に対する拡散レンズ１９の取付構造となる取付脚部１９ｄが設けられている。取付脚部１９ｄは、拡散レンズ１９のうち、光入射側凹部１９ｃよりも外周端部に近い位置に３つ配されている。そして、それらの取付部を結んだ線は平面に視て略正三角形をなしている。各取付脚部１９ｄは、その先端部（取付部）が接着剤等により実装基板１８に固着される。拡散レンズ１９は、取付脚部１９ｄを介して実装基板１８に固定されることで、その光入射面１９ａと実装基板１８との間に所定の隙間が設けられている。この隙間には、平面に視て拡散レンズ１９よりも外側にある空間からの光の入射が許容されている。
【００４５】
光出射面１９は、扁平な略球面状に形成されている。これにより、拡散レンズ１９から出射される光は、外部の空気層との界面において中心から遠ざかる方向に（つまり、広角に）屈折されつつ出射される。光出射面１９ｂのうち、平面に視てＬＥＤ１７と重畳する領域には、光出射側凹部１９ｅが形成されている。光出射側凹部１９ｅは、略擂鉢状をなすと共に、その周面が中心に向かって下り勾配となる扁平な略球面状に形成されている。また、光出射側凹部１９ｅにおける周面の接線がＬＥＤ１７の光軸ＬＡに対してなす角度は、光入射側凹部１９ｃの傾斜面が光軸ＬＡに対してなす角度よりも相対的に大きくなるように設定されている。光出射面１９ｂのうち平面に視てＬＥＤ１７と重畳する領域に光出射側凹部１９ｅを形成することによって、ＬＥＤ１７からの光の多くを広角に屈折させつつ出射させ、或いはＬＥＤ１７からの光の一部を実装基板１８側に反射させることができる。
【００４６】
反射部材２０は、全体的には、上側（液晶パネル１１側）が開口した箱状（容器状）をなしており、平面視した際には、シャーシ１４と同様、矩形状をなしている。反射部材２０は、光反射性に優れた合成樹脂製の反射シートを所定形状に加工したものからなる。前記反射シートとしては、例えば、白色の発泡ポリエチレンテレフタレートシートが利用される。反射部材２０は、図４に示されるように、シャーシ１４の内面の略全域にわたって敷設される大きさを備えている。この反射部材２０は、シャーシ１４内の光を光学部材１５側（液晶パネル１１側）に向けて反射して効率的に立ち上げることができる。
【００４７】
反射部材２０は、反射底部２０ａと、長辺側の反射壁部２０ｂと、短辺側の反射壁部２０ｃと、延出部２０ｄとを備えている。反射底部２０ａは、シャーシ１４の底板１４ａ上に配されている実装基板１８の実装面１８ａに沿って延在すると共に、実装面１８ａの領域Ｓ１を覆う大きさを備えている。反射底部２０ａは、ＬＥＤ１７が実装されている実装面１８の領域Ｓ１上に重ねられる形で配される。図４に示されるように、反射底部２０ａは、シャーシ１４の長辺方向に沿って細長く延びた矩形状をなしている。反射底部２０ａには、拡散レンズ１９及びＬＥＤ１７を挿通させる挿通孔２０ｅが複数個設けられており、実装基板１８上の各ＬＥＤ１７は、それぞれ挿通孔２０ｅから表側に露出されている。なお、反射底部２０ａは、実装基板１８及び底板１４ａに対して、リベット状の固定手段（不図示）を利用して位置決めされた状態で固定されている。また、実装基板１８の領域Ｓ２と領域Ｓ３とは、共に反射底部２０ａによって覆われていない。
【００４８】
反射底部２０ａが有する４つの端部からは、それぞれ反射壁部２０ｂ，２０ｃが表側（液晶パネル１１側）に向かって立ち上がっている。長辺側の２つの反射壁部２０ｂは、図３に示されるように、反射底部２０ａの長辺側の端部から壁板１４ｂ１の上端側に向かってそれぞれ立ち上がっている。つまり、反射壁部２０ｂは、反射底部２０ａの長辺側の端部から壁板１４ｂ１の上端側に向かって上るように傾斜した形をなしている。一方の反射壁部２０ｂと、壁板１４ｂ１と、実装基板１８上の領域（外側領域）Ｓ２（領域Ｓ２の裏側に配されている底板１４ａ）との間には、これらで囲まれてなる空間Ｍａが形成されている。この空間Ｍａ内には、電源ユニット２１ａが、実装基板１８の領域Ｓ２上に実装された形で、収容されている。また、他方の反射壁部２０ｂと、壁板１４ｂ１と、実装基板１８上の領域（外側領域）Ｓ３（領域Ｓ３の裏側に配されている底板１４ａ）との間にも、これらで囲まれてなる空間Ｍｂが形成されている。この空間Ｍｂ内には、信号ユニット２１ｂが、実装基板１８の領域Ｓ３上に実装された形で、収容されている。
【００４９】
また、短辺側の２つの反射壁部２０ｃは、図２及び図４に示されるように、反射底部２０ａの短辺側の端部から壁板１４ｂ２の上端側に向かってそれぞれ立ち上がっている。なお、短辺側の各反射壁部２０ｃは、それぞれ隣接する長辺側の反射壁部２０ｂに対して隙間が形成されないように接続されている。
【００５０】
延出部２０ｄは、反射壁部２０ｂ，２０ｃの端部から外側に向かって延出した部分であり、シャーシ１４の底板１４ａ等に対して平行に配されている。延出部２０ｄは、反射部材２０を平面視した際、全体的には、反射底部２０ａ及び反射壁部２０ｂ，２０ｃの周りを囲むような枠状をなしている。この延出部２０ｄは、シャーシ１４の受け板１４ｃ上に載せられる部分であり、受け板１４とフレーム１６との間で挟持される部分となっている。
【００５１】
挿通孔２０ｅは、拡散レンズ１９（及びＬＥＤ１７）が反射底部２０ａと平面視重畳する位置に、円形状の開口部として設けられている。挿通孔２０ｅは、実装基板１８の領域Ｓ１上に実装されているＬＥＤ１７の数と同じ数だけ、反射底部２０ａに設けられている。図４に示されるように、挿通孔２０ｅは、拡散レンズ１９よりも大きく設定されている。これにより、反射部材２０をシャーシ１４内に敷設する際に、寸法誤差の有無等にかかわらず、各拡散レンズ１９を各挿通孔２０ｅに対して確実に挿通させることができる。なお、図６に示されるように、挿通孔２０ｅからは、実装基板１８上の白色のソルダーレジスト層１８１が一部、露出した形となっている。
【００５２】
ここで、液晶表示装置１０を組み立てる手順を説明する。先ず、シャーシ１４を用意すると共に、ＬＥＤ１７、電源ユニット２１ａ及び信号ユニット２１ｂがそれぞれ所定領域に実装されている実装基板１８（光源ユニット）を用意する。そして、シャーシ１４の底板１４ａ上に、実装基板１８を取り付ける。その後、シャーシ１４内に収容されている実装基板１８を覆うように、シャーシ１４に対して反射部材２０が取り付けられる。その際、反射部材２０の反射底部２０ａは、ＬＥＤ１７が実装されている領域Ｓ１上に重ねられると共に、反射底部２０ａに設けられている各挿通孔２０ｅに各拡散レンズ１９（ＬＥＤ１７）が挿通される。その後、光学部材１５とフレーム１６とが、それぞれシャーシ１４の受け板１４ｃ上に載せられる。そして、フレーム１６上に液晶パネル１１が載せられ、その液晶パネル１１をフレーム１６との間で挟む形で、ベゼル１３がシャーシ１４に対して取り付けられる。
【００５３】
液晶表示装置１０の電源を入れる（つまり、ＯＮ状態にする）と、電源ユニット２１ａから実装基板１８上の各ＬＥＤ１７に対して電力が供給されて、各ＬＥＤ１７が点灯すると共に、信号ユニット２１ｂから液晶パネル１１に対して映像信号（画像データ）が供給される。各ＬＥＤ１７から発せられた光は、先ず、拡散レンズ１９の光入射面１９ａに入射する。このとき、光の大半は、光入射面１９ａのうち光入射凹部１９ｃにおける傾斜面に入射することで、その傾斜角度に応じて広角に屈折されつつ拡散レンズ１９内に進入する。そして、拡散レンズ１９内に進入した光は、拡散レンズ１９内を伝播した後、光出射面１９ｂから出射される。この光出射面１９ｂは、扁平な略球面状をなしており、外部の空気層との界面にて光がさらに広角に屈折されつつ出射されることになる。光出射面１９ｂのうちＬＥＤ１７からの光量が最も多くなる領域には、略擂鉢状をなす光出射側凹部１９ｅが形成され、かつその周面が扁平な略球面状をなしている。そのため、光出射側凹部１９ｅの周面にて光を広角に屈折させつつ出射させること、或いは実装基板１８側に反射させることができる。
【００５４】
拡散レンズ１９から出射された光は、そのまま、或いは反射部材２０等で反射された後に、光学部材１５側（液晶パネル１１側）へ向かう。そして、その光は、光学部材１５を透過すると共にフレーム１６の内縁部分を通過して、全体的に均一に広がった面状の光となって液晶パネル１１の背面１１ｂを照らす。なお上述した、光出射側凹部１９ｅの周面にて実装基板１８側に反射された光も、実装基板１８や反射部材２０等で反射等されて、最終的には、液晶パネル１１の背面１１ｂを照射する光となる。このようにして、液晶パネル１１の背面１１ｂに前記光が照射されると、その表示面１１ａに、前記映像信号に基づく画像（映像）が可視画像として現れる。
【００５５】
本実施形態の液晶表示装置１０（バックライト装置１２）は、シャーシ１４の壁板１４ｂの内側に配される形でシャーシ１４の底板１４ａ上に配される実装基板１８を備えている。実装基板１８の実装面１８ａは、ＬＥＤ（光源）１７が実装される中央側の光源実装領域Ｓ１と、光源実装領域Ｓ１の外側に配される外側領域Ｓ２，Ｓ３とを含んでいる。このような実装面１８ａ上には、ＬＥＤ（光源）１７からの光を反射する反射部材２０の一部が配されている。この一部とは、ＬＥＤ（光源）１７を露出させる挿通孔（孔部）２０ｅを含みつつ光源実装領域Ｓ１を覆う反射底部２０ａである。また、反射部材２０は、他の部分として、反射壁部２０ｂを有する。反射壁部２０ｂは、壁板１４ｂ（１４ｂ１）及び外側領域Ｓ２，Ｓ３と共に空間Ｍａ，Ｍｂを形成するように反射底部２０ａから壁板１４ｂ１に向かって立ち上がっている。本実施形態の液晶表示装置１０（バックライト装置１２）では、回路部品をそれぞれ含んでいる電源ユニット２１ａと信号ユニット２１ｂとは、ＬＥＤ（光源）１７が実装されている実装基板１８が有する外側領域Ｓ２，Ｓ２に実装されると共に、空間Ｍａ，Ｍｂ内にそれぞれ配されている。したがって、本実施形態の液晶表示装置１０（バックライト装置１２）では、前記回路部品を含む電源ユニット２１ａと信号ユニット２１ｂとを、シャーシ１４内の空間Ｍａ，Ｍｂ内に配することができるため、小型化が可能な構造となっている。例えば、従来のように、電源ユニット２１ａと信号ユニット２１ｂとが、それぞれ他の基板上に実装された状態でシャーシ１４の外側（裏側）に取り付けられている場合と比べて、本実施形態の液晶表示装置１０（バックライト装置１２）は、小型化が可能な構造（特に、厚み方向の小型化が可能な構造）となっていると言える。
【００５６】
更に、本実施形態の液晶表示装置１０（バックライト装置１２）は、ＬＥＤ（光源）１７が実装されている実装基板１８を底板１４ａ上に配すれば、前記回路部品をそれぞれ含んだ電源ユニット２１ａと信号ユニット２１ｂが、シャーシ１４内の所定個所に形成される空間Ｍａ，Ｍｂ内に容易に配することができる。つまり、実装基板１８の実装面１８ａ上において、ＬＥＤ（光源）１７を実装する領域（光源実装領域）Ｓ１と、それらの外側に配される外側領域Ｓ２，Ｓ３とを、それぞれ予め割り当てておくことにより、液晶表示装置１０（バックライト装置１２）の組み立て時において、シャーシ１４の所定個所（つまり、最終的に空間Ｍａ，Ｍｂが形成される個所）に、容易に電源ユニット２１ａと信号ユニット２１ｂとを一括して配置（位置決め）することができる。
【００５７】
例えば、ＬＥＤ１７と、電源ユニット２１ａと、信号ユニット２１ｂとが、それぞれ別々の基板（基板片）上に実装されている場合、液晶表示装置（照明装置）の組み立て工数や部品点数が多くなり、問題となってしまう。しかしながら、本実施形態の液晶表示装置１０（バックライト装置１２）のように、１枚の基板（実装基板１８）上に、ＬＥＤ１７と電源ユニット２１ａと信号ユニット２１ｂとが、それぞれ実装面１８ａの所定個所に割り当てられた状態で、まとめて実装されていれば、上述した場合と比べて、組み立て工数や部品点数を少なくすることができる。
【００５８】
また、本実施形態の液晶表示装置１０（バックライト装置１２）において、実装基板１８の外側領域Ｓ２には、ＬＥＤ１７に対して電力を供給する電源ユニット（ＬＥＤドライバ）２１ａが実装されている。この電源ユニット２１ａは、ＬＥＤ１７に対して回路的に近くに配されている。このように、ＬＥＤ１７に対して回路的に近くに配されている回路部品を、ＬＥＤ１７が実装されている基板（実装基板１８）上に、まとめて実装してもよい。また、実装基板１８の外側領域Ｓ３には、液晶パネル１１に対して映像信号を供給する信号ユニット２１ｂが実装されている。この信号ユニット２１ｂは、ＬＥＤ１７に対して電気的に接続されていない。このように、ＬＥＤ１７に対して電気的に接続されていない回路部品を、ＬＥＤ１７が実装されている基板（実装基板１８）上に、まとめて実装してもよい。このように各種の回路部品を、ＬＥＤ１７と同じ実装基板１８に実装した上で、シャーシ１４内に形成されるスペース（空間Ｍａ，Ｍｂ）を、前記回路部品を収容するための空間として有効活用してもよい。
【００５９】
また、本実施形態の液晶表示装置１０（バックライト装置１２）において、実装基板１８上には、光源として複数個のＬＥＤ１７が実装されている。このように、光源としてＬＥＤ１７を利用すると、例えば、光源として冷陰極管（ＣＣＦＬ）を利用した場合と比べて、液晶表示装置１０（バックライト装置１２）を組み立てやすいという利点がある。バックライト装置１２を組み立てる際に、反射部材２０（反射底部２０ａ）は、ＬＥＤ１７が実装されている実装基板１８をシャーシ１４内に設置した上で、その実装基板１８上に取り付けられる。これに対して、光源が冷陰極管からなる場合は、実装基板をシャーシ内に設置し、その実装基板上に反射部材（反射底部）を取り付けた上で、前記冷陰極管が前記反射部材を介して前記実施基板に取り付けられる。つまり、光源が冷陰極管からなる場合、光源（冷陰極管）を予め実装基板上に取り付けた上で、前記実装基板をシャーシの所定個所に取り付けることができない。しかも、光源（冷陰極管）は、実装基板上に反射部材が設置された後に、前記実装基板に対して取り付けられることになる。したがって、光源が冷陰極管からなる場合は、実装基板のシャーシに対する取付作業や、反射部材のシャーシに対する取付作業等が、光源がＬＥＤ１７からなる場合と比べて、煩雑になってしまう。なお、光源が冷陰極管からなる場合も、反射部材に光源を露出させる開口部（挿通孔）を形成することも考えられる。しかしながら、光源が冷陰極管からなる場合に、反射部材に光源を露出させる開口部を形成すると、実装基板上での光反射効率が低下するため、好ましくない。
【００６０】
＜実施形態２＞
次いで、本発明の実施形態２を、図７を参照しつつ説明する。なお、以降の実施形態では、実施形態１と同じ部分については、実施形態１と同じ符号を付して、その詳細な説明は省略する。図７は、実施形態２に係る液晶表示装置１０Ａの断面図である。図７に示される液晶表示装置１０Ａの断面図は、図３に示される実施形態１の断面図に対応している。本実施形態の液晶表示装置１０Ａは、バックライト装置１２Ａを備えている。このバックライト装置１２Ａの基本的な構成は、実施形態１のものと同様である。ただし、本実施形態のバックライト装置１２Ａは、実装基板１８Ａの構造が、実施形態１のものとは異なっている。具体的には、実装基板１８Ａ上には、ＬＥＤ１７と、ＬＥＤ１７に対して電力を供給する電源ユニット（ＬＥＤドライバ）２１ａとは実装されているものの、液晶パネル１１に対して映像信号を供給する信号ユニット（実施形態１の信号ユニット２１ｂに相当）は、実装されていない。そして、実装基板１８Ａは、実施形態１のものと比べて、その大きさが三分の一程度の大きさに設定されている。実装基板１８Ａの実装面１８Ａａ上には、ＬＥＤ１７が実装される光源実装領域Ｓ１と、電源ユニット２１ａが実装される外側領域Ｓ２とが割り当てられている。実装基板１８Ａ上の領域Ｓ１は、実施形態１と同様、液晶表示装置１０Ａを平面視した際に、液晶パネル１１の中央部分と重なるように設定されている。なお、本実施形態の液晶表示装置１０Ａ（バックライト装置１２Ａ）において、前記信号ユニットは、専用の基板（不図示）上に実装された状態で、シャーシ１４の外側（底板１４ａの裏側の板面側）に取り付けられている。
【００６１】
本実施形態の液晶表示装置１０Ａ（バックライト装置１２Ａ）のように、実装基板１８には、ＬＥＤ１７の他に、電源ユニット２１ａのみが実装されてもよい。このような場合であっても、反射部材２０の反射壁部２０ｂと、壁板１４ｂ１と、実装基板１８Ａの外側領域Ｓ２（実装面１８Ａａ）（外側領域Ｓ１の裏側に配されている底板１４ａ）とで囲まれてなる空間Ｍａに、少なくとも電源ユニット２１ａを収容することができ、シャーシ１４内に形成されるスペースを有効活用することができる。また、本実施形態の場合であっても、実装基板１８Ａを、シャーシ１４の所定個所（つまり、各ＬＥＤ１７が底板１４ａの中央部分に配されるようなシャーシ１４内の個所）に設置することによって、外側領域Ｓ２上の電源ユニット２１ａを、前記空間Ｍａが形成される個所に、容易に配置することができる。
【００６２】
＜実施形態３＞
次いで、本発明の実施形態３を、図８を参照しつつ説明する。図８は、実施形態３に係る液晶表示装置１０Ｂの概略構成を示す断面図である。図８に示される液晶表示装置１０Ｂの断面図は、図３に示される実施形態１の断面図に対応している。本実施形態の液晶表示装置１０Ｂは、照明装置１０Ｂを備えている。このバックライト装置１２Ｂの基本的な構成は、実施形態１のものと同様である。ただし、本実施形態のバックライト装置１２Ｂは、実施形態１８Ｂの構造が、実施形態１のものとは異なっている。具体的には、実装基板１８Ｂ上には、実施形態１と同様、実装面１８Ｂａにおける光源実装領域Ｓ１上には、実施形態１と同様、複数のＬＥＤ１７が実装されている。しかしながら、実装基板１８Ｂが有する実装面１８Ｂａの外側領域Ｓ２には、その外側領域Ｓ２と略同じ大きさに設定されていると共に、電源ユニット２１ａが実装されている基板（基板片）２２ａが載せられている。電源ユニット２１ａは、外側領域Ｓ２の上方にある他の基板２２ａに対して実装されている。また、外側領域Ｓ３には、その外側領域Ｓ３と略同じ大きさに設定されていると共に、信号ユニット２１ｂが実装されている基板（基板片）２２ｂが載せられている。信号ユニット２１ｂは、外側領域Ｓ３の上方にある他の基板２２ｂに対して実装されている。これらの基板２２ａ，２２ｂは、実装基板１８Ｂの各領域Ｓ２，Ｓ３上で、それぞれ接着剤等を利用して固定されている。なお、実装基板１８Ｂ上に実装されている各ＬＥＤ１７と、基板２２ａ上に実装されている電源ユニット２１ａとは、所定の中継コネクタを介しつつ。電気配線（例えば、導線と、この導線の周囲を被覆する絶縁層とからなるもの）を利用して互いに電気的に接続されている。
【００６３】
本実施形態の液晶表示装置１０Ｂ（バックライト装置１２Ｂ）のように、電源ユニット２１ａと信号ユニット２１ｂとが、それぞれ実装基板１８Ｂ上に直接、実装されていなくてもよい。本実施形態のように、少なくとも、実装基板１８Ｂの外側領域Ｓ２，Ｓ３上に、それぞれ電源ユニット２１ａと信号ユニット２１ｂとが配されて（設置されて）いれば、上記実施形態１と同様、実装基板１８Ｂを、シャーシ１４の所定個所に取り付けるだけで、電源ユニット２１ａと信号ユニット２１ｂとをそれぞれ空間Ｍａ，Ｍｂが形成される個所に、容易に配することができる。
【００６４】
＜他の実施形態＞
本発明は上記記述及び図面によって説明した実施形態に限定されるものではなく、例えば次のような実施形態も本発明の技術的範囲に含まれる。
【００６５】
（１）上記実施形態では、実装基板の実装面における外側領域に実装される回路部品として、電源ユニット及び信号ユニットを例示したが、これ以外の回路部品を、外側領域上に実装してもよい。
【００６６】
（２）上記実施形態では、ＬＥＤを覆うように、拡散レンズ（光学レンズ）が取り付けられていたが、他の実施形態においては、拡散レンズを利用しない構成であってもよい。
【００６７】
（３）上記実施形態では、光源としてＬＥＤが利用されていたが、他の実施形態においては、ＬＥＤ以外の光源が利用されてもよい。
【００６８】
（４）上記実施形態では、実装基板の光源実装領域上に、複数個のＬＥＤが列状に並んだ状態で、配置されていたが、本発明は、これに限られるものではない。
【００６９】
（５）上記した各実施形態においては、実装基板上に実装されている複数個のＬＥＤは、所定の配線パターンによって互いに直列接続されていたが、他の実施形態においては、これに制限されるものではない。例えば、他の実施形態においては、実装基板上の各ＬＥＤを、所定の配線パターンを利用して互いに並列接続させてもよい。そして、電源ユニット（ＬＥＤドライバ）を利用して、前記ＬＥＤに対してローカルディミングを行ってもよい。このように電源ユニットによって各ＬＥＤの電流制御を行うことによって、バックライト装置（照明装置）のコントラスト向上（調整）、消費電力の抑制、及びバックライトスキャニング等を実施してもよい。
【００７０】
（６）上記した各実施形態以外にも、実装基板の光源実装領域に実装される光源（ＬＥＤ）の設置数や配置、実装基板の実装面における光源実装領域及び外側領域の割り当て方は、適宜、偏光可能である。
【００７１】
（７）上記実施形態において、実装基板としては、平面視矩形状のものが利用されたが、他の実施形態においては、実装面上に所定の光源実装領域と、外側領域とがそれぞれ割り当てられるものであれば、実装基板の形状は、矩形状である必要はない。
【００７２】
（８）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも本発明は適用可能である。また、上記した各実施形態では、カラー表示をする液晶表示装置を例示したが、白黒表示する液晶表示装置にも本発明は適用可能である。
【００７３】
（９）上記した各実施形態では、表示パネルとして液晶パネルを用いた液晶表示装置を例示したが、他の種類の表示パネルを用いた表示装置にも本発明は適用可能である。
【００７４】
（１０）上記した各実施形態では、チューナーを備えたテレビ受信装置を例示したが、チューナーを備えていない表示装置にも本発明は適用可能である。
【符号の説明】
【００７５】
１０，１０Ａ，１０Ｂ…液晶表示装置（表示装置）、１１…液晶パネル（表示パネル）、１２，１２Ａ，１２Ｂ…バックライト装置（照明装置）、１３…ベゼル、１４…シャーシ、１４ａ…底板，１４ｂ…壁板，１４ｃ…受け板、１４ｄ…開口部、１５…光学部材、１５ａ…拡散板、１５ｂ…光学シート、１６…フレーム、１７…ＬＥＤ（光源）、１８，１８Ａ，１８Ｂ…実装基板、１８ａ，１８Ａａ，１８Ｂａ…実装面、１９…拡散レンズ（光学レンズ）、２０…反射部材、２０ａ…反射底部、２０ｂ…反射壁部（長辺側）、２０ｃ…反射壁部（短辺側）、２０ｄ…延出部、２０ｅ…挿通孔（孔部）、２１ａ…電源ユニット（回路部品）、２１ｂ…信号ユニット（回路部品）、２２ａ，２２ｂ…基板片、ＴＶ…テレビ受信装置
【図１】
2013157173.tif 000003
【図２】
2013157173.tif 000004
【図３】
2013157173.tif 000005
【図４】
2013157173.tif 000006
【図５】
2013157173.tif 000007
【図６】
2013157173.tif 000008
【図７】
2013157173.tif 000009
【図８】
2013157173.tif 000010